(57)【特許請求の範囲】
【請求項１】
時計ムーブメントにおいて作業を実施するための装置（１）であって、スタンド（３）に取り付けられたプレート（２）を備え、前記プレート（２）は、時計ムーブメント部品を受容することが可能な少なくとも１つの収納面（４）を有し、当該装置は、
前記プレートが、時計ムーブメントを保持するための手段を備えた少なくとも１つの作業支持台（６）をさらに有し、前記作業支持台が、前記ムーブメントへのアクセスを容易とするために、前記プレート（２）から伸長された拡張部となるように配置されている、ことを特徴とする装置。
【請求項２】
前記作業支持台（６）は、周縁部（６１ａ）と、時計ムーブメントを保持するための保持手段（６４）と、を有するプラットフォーム（６１）を含むことを特徴とする、請求項１に記載の装置。
【請求項３】
前記プラットフォーム（６１）は、前記保持手段が配置されるオリフィス（６３）を含み、前記保持手段は、チューブ（６６）に取り付けられたシム（６７）を有し、前記シムの位置を変更することで異なるサイズのムーブメントにフィットするように適合させるためのウォーム（６５）に関連付けられている、ことを特徴とする、請求項２に記載の装置。
【請求項４】
前記保持手段（６４）は、前記シムを弾性的に移動させることを可能にするバネ（６８）をさらに有することを特徴とする、請求項３に記載の装置。
【請求項５】
前記収納面（４）は、少なくとも１つの収納領域（５）を含むことを特徴とする、請求項１〜３のいずれかに記載の装置。
【請求項６】
前記収納領域（５）は、凹みであることを特徴とする、請求項５に記載の装置。
【請求項７】
前記収納領域（５）は、レセプタクルが挿入される開口部であることを特徴とする、請求項５に記載の装置。
【請求項８】
前記プレート（２）は、前記スタンド（３）に対して枢動するように取り付けられることを特徴とする、請求項１〜７のいずれかに記載の装置。
【請求項９】
当該装置は、前記スタンドに対する前記プレートの位置をロックするためのクリックシステム（７）をさらに備えることを特徴とする、請求項８に記載の装置。
【請求項１０】
前記プレートは、前記作業支持台とそれぞれ対応する５つの収納面を含むことを特徴とする、請求項１〜９のいずれかに記載の装置。
【発明の詳細な説明】
【技術分野】
【０００１】
本発明は、時計ムーブメントにおいて作業を実施するための装置の分野に関するものである。これらの装置は、スタンドに取り付けられたプレートを備え、該プレートは、時計ムーブメント部品を受容することができる少なくとも１つの収納領域を有する。
【背景技術】
【０００２】
時計ムーブメントの作業を実施するためのツールが知られており、そのような作業は、ムーブメントの製作または修理のいずれかである。一般に、時計ムーブメントの製作または修理は、作業中にムーブメントを保持するために、それに適合した形状の２つのジョーを備えた支持体であるいわゆるムーブメントホルダ上において行われる。
【０００３】
この場合、ムーブメントの製作または修理のために、ムーブメントは、その地板によって、ムーブメントホルダに固定される。そして、技師は、ムーブメントの組み立てまたは分解を行うことができる。各種部品、すなわち、組み付けられる部品、取り外された部品、予備部品を収納するために、収納ボックスが使用され、これらはすべて、技師の手が部品に届くように、作業台の上に配置される。
【発明の概要】
【発明が解決しようとする課題】
【０００４】
ところが、このような作業設定の１つの欠点は、作業を一続きに実施することができないため、技師の時間が最大限に活用されないことである。
【０００５】
実際に、点検または修理の作業の場合に、技師は、点検／修理されるムーブメントを取り出して、それをムーブメントホルダに固定し、ムーブメントにおいて作業を要する部品を取り出す。その作業を終えたら、技師は、それらの各種部品を保管し、別のムーブメントを、そこで作業を実施するために取り出し、その作業は、前の作業と同様のものであり得る。
【０００６】
このように、現在の設定では、適切なツールおよびプロセスを利用できないので、時計ムーブメントで一続きに点検を行うことは想定できない。
【０００７】
そのような点検は、手順ごとに一人の技師がいる場合、すなわち、分解に一人の技師、修理に一人の技師、チェックを実施するために一人の技師がいる場合には、さらに可能性が低い。
【課題を解決するための手段】
【０００８】
そこで、本発明の目的は、時計ムーブメントにおいて作業を一続きに実施することを可能とする装置を提供することにより、従来技術の欠点を解消することである。
【０００９】
この目的のため、本発明は、時計ムーブメントにおいて作業を実施するための装置に関し、該装置は、スタンドに取り付けられたプレートを備え、そのプレートは、時計ムーブメント部品を受容することが可能な少なくとも１つの収納領域を有する。該装置は、プレートが、時計ムーブメントを保持するための手段を備えた少なくとも１つの作業支持台をさらに有し、作業支持台は、ムーブメントへのアクセスを容易とするために、拡張部を形成するように配置されている、ことを特徴とする。
【００１０】
第１の効果的な実施形態において、作業支持台は、周縁部と、時計ムーブメントを保持するための保持手段と、を有するプラットフォームを含む。
【００１１】
第２の効果的な実施形態において、プラットフォームは、保持手段が配置されるオリフィスを含み、これらの保持手段は、チューブに取り付けられたシムを有し、シムの位置を変更することで異なるサイズのムーブメントに適応するためのウォームに関連付けられている。
【００１２】
第３の効果的な実施形態において、保持手段は、さらに、シムを弾性的に移動させることを可能にするバネを有する。
【００１３】
第４の効果的な実施形態において、収納面は、少なくとも１つの収納領域を含む。
【００１４】
別の効果的な実施形態において、収納領域は、凹みである。
【００１５】
別の効果的な実施形態において、収納領域は、レセプタクルが挿入される開口部である。
【００１６】
別の効果的な実施形態において、プレートは、スタンドに対して枢動するように取り付けられる。
【００１７】
別の効果的な実施形態において、本装置は、さらに、スタンドに対するプレートの位置をロックするためのクリックシステムを備える。
【００１８】
別の効果的な実施形態において、プレートは、作業支持台とそれぞれ関連付けられた５つの収納面を含む。
【００１９】
本発明による装置の目的、効果、および特徴は、単なる非限定的な例として提示される添付の図面に示す本発明の少なくとも１つの実施形態についての以下の詳細な説明において、より明確になるであろう。
【図面の簡単な説明】
【００２０】
【図１】図１は、本発明による、時計ムーブメントにおける作業用の装置の概略図である。
【図２】図２は、本発明による、時計ムーブメントにおける作業用の装置の変形例の概略図である。
【図３】図３Ａ、３Ｂ、３Ｃは、本発明による、時計ムーブメントにおける作業用の装置の周辺支持台のいくつかの異なる概略図である。
【図４】図４は、本発明による、時計ムーブメントにおける作業用の装置のクリックシステムの概略図である。
【図５】図５は、本発明による、時計ムーブメントにおける作業用の装置の他のクリックシステムの概略図である。
【図６】図６は、本発明による、時計ムーブメントにおける作業用の装置のクリックシステムの係止ヘッドの概略図である。
【発明を実施するための形態】
【００２１】
図１は、本発明による装置１を示している。本装置１は、電子式、機械式、または電気機械式のムーブメントとすることができる少なくとも１つの時計ムーブメントにおいて、組み立て、分解、点検の作業を実施するために用いられる。
【００２２】
装置１は、円形プレート２を備える。この円形プレート２は、スタンド３に取り付けられている。スタンド３は、基台３ａを有し、そこからツールポスト３ｂが延出しており、その高さは、ユーザが本装置１で作業する際にプレート２が時計技師の作業高さとなるように、すなわち、時計技師が作業台に腕を置いたときにプレート２が間近にあるように、なっている。
【００２３】
プレート３は、少なくとも１つの収納面４を有する。この収納面４は、各種時計部品の保管に用いられる。時計ムーブメントの点検の場合、技師は、分解部品、不良部品、交換部品を同時に扱わなければならない。
【００２４】
このため、収納面４には、複数の受容領域５が設けられており、それらの各々に、異なるタイプの部品が配置される。例えば、時計ムーブメントの点検の場合、収納面４には、分解部品用の中央の領域と、不良部品用に１つと、交換部品用に１つの、３つの受容領域が設けられる。その場合、中央の受容領域５は、洗浄カゴを受容するために使用することができ、作業の過程で、技師によりムーブメントが分解されて、不良部品は不良部品用の受容領域５に配置される。ムーブメントから取り外された他の部品は、洗浄されるために、中央の受容領域５内の１つ以上の洗浄カゴに配置される。ムーブメントを再組み立てする際には、洗浄カゴに配置された部品をムーブメントに再組み付けする一方で、不良部品は、交換部品用の受容領域５から取得される新しい部品に交換される。
【００２５】
これらの受容領域５は、第１の実施形態では、凹みの形態をとることができる。これは、各受容領域５が、特定の形状にくりぬかれたプレート２の領域であることを意味する。これらの凹みに、様々に異なる部品を受容して、プレート上に各種部品を滑り落ちることなく保持することが可能である。
【００２６】
この第１の実施形態の代替例では、それらの凹みにレセプタクルを配置することができる。
【００２７】
第２の実施形態では、受容領域５は開口部の形態をとり、それらの各々に、レセプタクルが挿入されて、そのレセプタクルに、時計ムーブメントの各種部品を収容する。例えば、レセプタクルは、洗浄カゴである。これらのレセプタクルは、相互に積み重ねることができる。この第２の実施形態の利点は、様々に異なるタイプの部品をレセプタクルにプレパッキングすることが可能となることである。さらに、これによって、空にしてから他の部品を充填する代わりに、様々なレセプタクルを相互に置き換えることが可能となる。実際に、洗浄カゴが使用される場合、洗浄される良品部品は、それらが取り外されたときに、カゴ内に配置されて、それらは、ムーブメントにおける作業中を通して、洗浄カゴに入ったままである。
【００２８】
当然のことながら、第１と第２の実施形態を組み合わせて、一部の受容領域５を、凹みの形態をとり、他の受容領域５は、開口部の形態をとるようにすることもできる。
【００２９】
本発明によれば、効果的に、プレートは、さらに、図３Ａ、３Ｂ、３Ｃに表示された少なくとも１つの作業支持台６を有する。この作業支持台６は、その上に、様々な作業を受ける際の時計ムーブメントを載置できるように用いられる。この作業支持台６は、プレート２の周辺に配置される。作業支持台６は、平行六面体部分である横材６０を含み、そこにプラットフォーム６１が固定される。このプラットフォーム６１は、Ｕ字形状に略類似しており、すなわち、このプラットフォーム６１は、その片側の端部で相互に連結された２つの平行な枝部６２を含み、２つの枝部６２の間に空間６３が存在する。横材６０は、プレート２に対して、好ましくはプレート２の下面すなわち地面に向いた面に対して、支持台６を固定するために用いられる。プラットフォーム６１は、ムーブメントがその上に載置されることを可能とする周縁部６１ａを有する。ムーブメントホルダの保持を向上するために、周縁部６１ａは、２つの枝部６２の間の連結部において、丸い形状とするか、または少なくとも１つの角度をなすように形成することができる。この場合、周縁部６１ａは、２つの枝部６２の間の連結部において、三角形状を有し得る。
【００３０】
プラットフォーム６１は、時計ムーブメントを保持するための手段６４を備える。より具体的には、保持手段６４は、ムーブメントホルダに取り付けられたムーブメントを保持するために用いられる。プラットフォーム６１の２つの平行な枝部６２の間に存在する空間６３には、保持モジュール６４が配置される。この保持モジュール６４は、ウォーム６５に取り付けられるとともに空間６３に沿って配置されたチューブ６６を有する。そのウォーム６５によって、チューブ６６を前方または後方に移動させることが可能となる。チューブ６６は、シム６７に関連付けられており、これは、チューブ６６と一緒に動かされる。こうして、シム６７の位置は、様々に異なるサイズのムーブメントまたはムーブメントホルダに適合するように変更される。このシム６７、およびプラットフォーム６１の２つの枝部６２の間の空間６３の長手方向側面６３ａは、シム６７がレール取付けされるように構成することができる。
【００３１】
また、保持手段６４は、弾性的に取り付けられるように構成されている。このために、チューブ６６には、さらに、時計ムーブメントを保持するために用いられるバネ６８が関連付けられている。
【００３２】
実際に、保持手段６４を用いることで、最初に技師がムーブメントホルダのサイズに合わせてシム６７の位置を調整することが可能であり、これが、ウォーム６５に作用することで保持され得る。保持手段６４の弾性取付けによって、ムーブメントホルダを作業支持台６に配置する際に、シムの位置を一時的に変更するようにシム６７に作用することが可能であり、これにより、ムーブメントホルダを所定位置に設定できる。シムが動く距離は、約２〜３ｍｍとすることができる。このように動かすことが可能であることは、遊びと類似しており、すなわち、シムの位置は、完全には固定されておらず、わずかに移動させて、フィットするように適合させることができる。技師は、ムーブメントホルダを作業支持台６に配置したら、シム６７を、それに加えた圧力から解放し、これにより、シムは、その初期位置に、すなわち技師が圧力を加える前に保持されていた位置に戻る。この場合、シム６７により、ムーブメントホルダに力が作用して、これにより作業支持台６の周縁部６１ａに寄りかかることで、ムーブメントホルダは動かないように固定される。
【００３３】
効果的に、シム６７を、その所定位置で若干の遊びを有してバネに取り付けることで、様々に異なるタイプのムーブメントホルダにフィットするように適合させることが可能となる。実際に、それらのムーブメントホルダは、凹凸のある部分もしくは平坦な部分を有する場合、または完全な円形ではなく、従って略長円形状もしくは楕円形状を有する場合がある。
【００３４】
遊びがない場合、ムーブメントホルダを作業支持台６から解放する技師は、それを同じ角度位置で再係合させることで行わなければならないことになる。また、ムーブメントホルダを作業支持台６に係合させる際に、技師は、ムーブメントホルダをその軸に関して回転させることができないことになる。
【００３５】
数ミリメートル動かすことができるようにシム６７が若干の遊びを有することで、ムーブメントホルダを作業支持台６に係合させる際に、その軸に関して回転させることが可能となる。凹凸のある部分もしくは平坦な部分は、シム６７に作用する圧力の発生、またはシム６７によりムーブメントホルダにかかる力の消失／軽減につながる。これによって、結果的に、シム６７が動いて、支持台６上でムーブメントホルダの不変かつ最適な保持が得られる。
【００３６】
このように周辺に配置される作業支持台６を備えることの利点は、これによって、技師が、本装置１上で直接、作業を行うことが可能となることである。実際に、支持台６がプレート２の周囲にあることによって、結果的に、支持台６の周りにフリースペースができて、技師は、ムーブメントへのアクセスが容易となり、装置１上に配置されたムーブメントにおいて作業を行うことができる。
【００３７】
第１の変形例において、プレート２は、複数の収納面４を有し、それらの各々に、複数の受容領域５が設けられる。各受容領域５には、異なるタイプの部品が配置される。これらの収納面４は、プレート上で角度的に分散配置される。この第１の変形例の好ましい形態では、プレート２に、角度的に分散配置された５つの収納面４が設けられるが、ただし、この数に限定されることなく、２つ、３つ、４つ、６つ、またはさらに多くの収納面４が設けられてもよい。
【００３８】
この変形例は、技師が、複数の時計ムーブメントにおいて順次続けて作業を行うことが可能となるという利点がある。確かに、この構成によって、技師は、第１のムーブメントで作業を行い、次に第２のムーブメントに移るなどすることが可能となる。好ましくは、装置１上に配置された各ムーブメントで、同じタイプの作業が実施される。
【００３９】
第１の変形例と両立できる第２の変形例において、プレートは、回転可能にスタンド３に取り付けられる。常に回転することを避けるため、プレート２には、図４および５に表示されたクリックシステム７が設けられる。このために、プレート２は、その中心にオリフィス８を有し、その中に、プレート２の角度位置をロックするためのクリックシステム７が配置される。このクリックシステム７は、円板状ハブ７０を有する。このハブ７０は、３つの重ねられたディスクの形態をとり、中央のディスク７２は、他の２つのディスク７１よりも大きな直径を有する。中央ディスク７２は、より大きなこの直径によって、プレート２と協働することが可能となる。実際に、プレート２は、そのオリフィス８に、より厚さの薄い環状領域８ａを有し、その寸法は、中央ディスク７２のそれと同じである。中央ディスク７２は、ハブ７２をプレート２に固定するために用いられる。クリックシステム７は、さらに、その内壁７６に凹みが形成された環状ガイド部品７５を有する。
【００４０】
この環状ガイド部品７５は、オリフィス８の環状領域８ａにおけるプレート２と協働するようなサイズになっている。これは、組み立ての際に、プレート２のオリフィス８の環状領域８ａを、ハブ７０と環状ガイド部品７５との間に挿入するようにして実現され、このとき、ハブ７０は、プレート２の下側に配置される。これらの各種要素を結合するために、ネジなどの固定手段７２ａが用いられる。
【００４１】
ハブ７０は、さらに、プレート２をスタンド３に取り付けるための孔７３を有する。実際に、ツールポスト３ｂは、さらに、その寸法によってハブ７０の孔７３に挿入されることが可能な円形スタッド３ｂを有する。クリックシステム７は、さらに、図６に表示された角度位置ロック要素７８を有する。このロック要素７８は、ツールポストのスタッド３ｃに取り付けられる。この角度位置ロック要素７８は、好ましくは２つの平行な枝部７８１を有するＵ字形状であるフレーム７８０を有する。これら２つの枝部７８１の各々は、開口部７８２を有する。これらの開口部７８２に、ピン７８３が取り付けられる。ピン７８３には、バネ７８４が関連付けられている。ピン７８３はリング７８５を有し、リング７８５と一方の枝部７８１との間に、バネ７８４が配置される。内管の自由端に、係止ヘッド７８６を有する。この係止ヘッド７８６は、ホイール７８８が取り付けられた構造体７８７を含む。係止ヘッド７８６は、環状ガイド部品７５の内壁７６と協働するように構成されている。実際に、環状ガイド部品７５の内壁７６には、ノッチ７７を示すように凹みが形成されており、その中に、係止ヘッド７８６を挿入することが可能である。ノッチの数は、収納面４の数に等しい。技師が、プレート２を回転させようとするときには、技師により加えられる力が、ロック要素７８に作用する。より具体的には、その力が係止ヘッド７８６に作用して、チューブ７８３を動かし、その結果、バネ７８４が圧縮される。こうして、この動きによって、プレート２は解放されて、回転できるようになる。係止ヘッド７８６が、内壁７６のノッチ７７に面しているときには、係止ヘッド７８６にかかる圧力が減少して、ロック要素７８のバネ７８４が弛緩する。その結果、チューブ７８３が動いて、そのレスト位置に戻り、係止ヘッド７８６は、該ノッチ７７と協働する。
【００４２】
図２に表示する変形例では、ツールポスト３ｂの高さは、技師の作業面の配置に応じて、略ゼロとすることができ、この場合、ハブの孔に挿入されるスタッド３ｃを有するツールポスト３ｂによって、プレート２とスタンド３の基台３ａが略接触するように単体が形成される。
【００４３】
本明細書に記載の発明の様々な実施形態に対して、発明の範囲から逸脱することなく、当業者が想到する種々の変更および／または改良を実施できることは明らかであろう。
【符号の説明】
【００４４】
１    装置
２    プレート
３    スタンド
３ａ    基台
３ｂ    ツールポスト
３ｃ    スタッド
４    収納面
５    受容領域
６    作業支持台
７    クリックシステム
８    オリフィス
８ａ    環状領域
６０    横材
６１    プラットフォーム
６１ａ    周縁部
６２    枝部
６３    空間
６３ａ    長手方向側面
６４    保持手段
６５    ウォーム
６６    チューブ
６７    シム
６８    バネ
７０    ハブ
７１    ディスク
７２    中央ディスク
７２ａ    固定手段
７３    孔
７５    環状ガイド部品
７６    内壁
７７    ノッチ
７８    ロック要素
７８０    フレーム
７８１    枝部
７８２    開口部
７８３    ピン
７８４    バネ
７８５    リング
７８６    係止ヘッド
７８７    構造体
７８８    ホイール
【図１】
0005970100.tif 000002
【図２】
0005970100.tif 000003
【図３】
0005970100.tif 000004
【図４】
0005970100.tif 000005
【図５】
0005970100.tif 000006
【図６】
0005970100.tif 000007